(57)【要約】      （修正有）【課題】グリースの飛散を防止し、信頼性の向上したディスク装置を提供する。【解決手段】第１アクチュエータアッセンブリ２２Ａは、第１軸受ユニット５０により支持シャフト２６に、第２アクチュエータアッセンブリ２２Ｂは、第２軸受ユニット５０により支持シャフト２６に各々回動自在に支持されている。第１軸受ユニットの第１スリーブ５２と、第２軸受ユニットの第２スリーブ５２は、ボールベアリング５４ａ、５４ｂを各々有している。第１スリーブは、第２スリーブと対向する第１端面と、第１端面から第２スリーブ側に突出した環状の第２リブ５６ｂと、を有する。第２スリーブは、第２リブに隙間を置いて対向する第２端面と、第２端面から第１スリーブ側に突出した環状の第１リブ５６ａと、を有している。第１リブは、第１スリーブの径方向に第２リブと並んで位置し、第２リブおよび第１端面に隙間Ｇを置いて対向している。【選択図】図５
2019164851.tif 000002
【特許請求の範囲】
【請求項１】
記録層を有するディスク状の記録媒体と、
第１軸受ユニットを介して支持シャフトに回動自在に支持された第１アクチュエータブロックと、前記第１アクチュエータブロックから延出したサスペンションアッセンブリと、前記サスペンションアッセンブリに支持された磁気ヘッドと、を有する第１アクチュエータアッセンブリと、
第２軸受ユニットを介して前記支持シャフトに回動自在に支持された第２アクチュエータブロックと、前記第２アクチュエータブロックから延出したサスペンションアッセンブリと、前記サスペンションアッセンブリに支持された磁気ヘッドと、を有する第２アクチュエータアッセンブリと、を備え、
前記第１軸受ユニットは、前記第１アクチュエータブロックに固定され前記支持シャフトの周囲に同軸的に配置された第１スリーブと、前記支持シャフトと第１スリーブとの間に配置された少なくとも１つのボールベアリングと、を有し、
前記第２軸受ユニットは、前記第２アクチュエータブロックに固定され前記支持シャフトの周囲に同軸的に配置された第２スリーブと、前記支持シャフトと第２スリーブとの間に配置された少なくとも１つのボールベアリングと、を有し、
前記第１スリーブは、前記第２スリーブと対向する第１端面と、前記第１端面から前記第２スリーブ側に突出し前記支持シャフトと同軸的に設けられた環状の第１段部と、を有し、
前記第２スリーブは、前記第１段部に隙間を置いて対向する第２端面と、前記第２端面から前記第１スリーブ側に突出し前記支持シャフトと同軸的に設けられた環状の第２段部と、を有し、前記第２段部は、前記第１スリーブの径方向に前記第１段部と重なって位置し、前記第１段部および前記第１端面と隙間を置いて対向している
ディスク装置。
【請求項２】
前記第１スリーブは、前記第１端面から突出し前記第１段部を構成した環状の第１リブを有している請求項１に記載のディスク装置。
【請求項３】
前記第２スリーブは、前記第２端面から突出し前記第２段部を構成した環状の第２リブを有している請求項２に記載のディスク装置。
【請求項４】
前記第１軸受ユニットは、前記第１スリーブに取付けられ、前記第１段部を構成したリング部材を備えている請求項１に記載のディスク装置。
【請求項５】
前記第１端面、第２端面、第１段部および第２段部の間に、前記第１および第２スリーブの径方向および軸方向に複数回屈曲した階段状の隙間が規定されている請求項１から４のいずれか１項に記載のディスク装置。
【発明の詳細な説明】
【技術分野】
【０００１】
この発明の実施形態は、ヘッドアクチュエータアッセンブリを有するディスク装置に関する。
【背景技術】
【０００２】
ディスク装置として、例えば、ハードディスクドライブ（ＨＤＤ）は、筐体内に配設された磁気ディスク、磁気ディスクを支持および回転駆動するスピンドルモータ、磁気ヘッドを支持したアクチュエータアッセンブリ、このアクチュエータアッセンブリを駆動するボイスコイルモータ、フレキシブルプリント回路基板ユニット（以下、ＦＰＣユニットと称する）等を備えている。
【０００３】
アクチュエータアッセンブリは、複数のアームを有するアクチュエータブロックと、このアクチュエータブロックの装着孔に装着されたユニットベアリングと、を備えている。各アームには、磁気ヘッドを支持した１本あるいは２本のサスペンションアッセンブリが取り付けられている。ユニットベアリングは、例えば、２つのボールベアリングとスペーサとを組合わせて構成されている。ベアリングには、摩擦・摩耗を低減するためにグリースが充填されている。
【０００４】
アクチュエータアッセンブリのシーク動作時、ベアリングの内輪、外輪間からグリースが飛散する場合がある。飛散したグリースは、磁気ディスクおよび磁気ヘッドに付着し、磁気ヘッドの浮上不足やヘッドクラッシュを引き起こし、読み書き不良などの重大な問題を引き起こす。これを防止するため、ユニットベアリングの上部はキャップにより、また、下部はシャフト台座により、それぞれ覆われ、グリースの飛散を低減する構成としている。
【０００５】
近年、ＨＤＤの記憶容量の増大に伴い、磁気ディスクの設置枚数も増加しつつある。多数枚の磁気ディスクに対応するため、複数、例えば、２つのアクチュエータアッセンブリを積層配置した、いわゆるデュアルアクチュエータアッセンブリが提案されている。このデュアルアクチュエータアッセンブリにおいて、２つのユニットベアリングはスペーサを挟んで軸方向に重ねて配置される。この場合、２つのユニットベアリングの間に、キャップとシャフト台座による隙間調整が困難なグリース飛散部（隙間）が形成される。そのため、ユニットベアリングからのグリース飛散が増大する可能性がある。
【先行技術文献】
【特許文献】
【０００６】
【特許文献１】米国特許第６，４４９，１３０号明細書
【特許文献２】米国特許出願公開第２００２／００３９２５９号明細書
【特許文献３】特開２００３−１８７５４０号公報
【発明の概要】
【発明が解決しようとする課題】
【０００７】
この発明の実施形態の課題は、グリースの飛散を低減し、信頼性の向上したディスク装置を提供することにある。
【課題を解決するための手段】
【０００８】
実施形態によれば、ディスク装置は、記録層を有するディスク状の記録媒体と、それぞれ前記記録媒体に対して情報の処理を行う磁気ヘッドを支持した第１アクチュエータアッセンブリと、それぞれ前記記録媒体に対して情報の処理を行う磁気ヘッドを支持した第２アクチュエータアッセンブリと、を備えている。前記第１アクチュエータアッセンブリは、第１軸受ユニットを介して支持シャフトに回動自在に支持された第１アクチュエータブロックと、前記第１アクチュエータブロックから延出したサスペンションアッセンブリと、前記サスペンションアッセンブリに支持された前記磁気ヘッドと、を備え、前記第２アクチュエータアッセンブリは、第２軸受ユニットを介して前記支持シャフトに回動自在に支持された第２アクチュエータブロックと、前記第２アクチュエータブロックから延出したサスペンションアッセンブリと、前記サスペンションアッセンブリに支持された前記磁気ヘッドと、を備えている。前記第１軸受ユニットは、前記第１アクチュエータブロック内に固定され前記支持シャフトの周囲に同軸的に配置された第１スリーブと、前記支持シャフトと第１スリーブとの間に配置された少なくとも１つのボールベアリングと、を有し、前記第２軸受ユニットは、前記第２アクチュエータブロック内に固定され前記支持シャフトの周囲に同軸的に配置された第２スリーブと、前記支持シャフトと第２スリーブとの間に配置された少なくとも１つのボールベアリングと、を有している。前記第１スリーブは、前記第２スリーブと対向する第１端面と、前記第１端面から前記第２スリーブ側に突出し前記支持シャフトと同軸的に設けられた環状の第１段部と、を有し、前記第２スリーブは、前記第１段部に隙間を置いて対向する第２端面と、前記第２端面から前記第１スリーブ側に突出し前記支持シャフトと同軸的に設けられた環状の第２段部と、を有し、前記第２段部は、前記第１スリーブの径方向に前記第１段部と重なって位置し、前記第１段部および前記第１端面と隙間を置いて対向している。
【図面の簡単な説明】
【０００９】
【図１】図１は、第１の実施形態に係るハードディスクドライブ（ＨＤＤ）をトップカバーを分解して示す斜視図。
【図２】図２は、前記ＨＤＤのヘッドアクチュエータアッセンブリおよび基板ユニットを示す斜視図。
【図３】図３は、前記ヘッドアクチュエータアッセンブリの側面図。
【図４】図４は、前記ヘッドアクチュエータアッセンブリのアクチュエータブロック部を破断して示す斜視図。
【図５】図５は、前記ヘッドアクチュエータアッセンブリのアクチュエータブロック部の断面図。
【図６】図６は、軸受ユニット間の隙間部分を拡大して示す断面図。
【図７】図７は、第２の実施形態に係るＨＤＤにおけるヘッドアクチュエータアッセンブリのアクチュエータブロック部を破断して示す斜視図。
【図８】図８は、前記ヘッドアクチュエータアッセンブリのアクチュエータブロック部の断面図。
【図９】図９は、軸受ユニット間の隙間部分を拡大して示す断面図。
【発明を実施するための形態】
【００１０】
以下図面を参照しながら、実施形態に係るディスク装置ついて説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（第１の実施形態）  
ディスク装置として、第１の実施形態に係るハードディスクドライブ（ＨＤＤ）について詳細に説明する。  
図１は、トップカバーを外して示す第１の実施形態に係るＨＤＤの分解斜視図である。
ＨＤＤは、偏平なほぼ矩形状の筐体１０を備えている。この筐体１０は、上面の開口した矩形箱状のベース１２と、トップカバー１４と、を有している。トップカバー１４は、複数のねじ１３によりベース１２にねじ止めされ、ベース１２の上端開口を閉塞する。ベース１２は、トップカバー１４と隙間を置いて対向する矩形状の底壁１２ａと、底壁の周縁に沿って立設された側壁１２ｂとを有し、例えば、アルミニウムにより一体に成形されている。トップカバー１４は、例えば、ステンレスにより矩形板状に形成されている。トップカバー１４は、ベース１２の側壁１２ｂ上にねじ止めされ、ベース１２の上部開口を閉塞している。
【００１２】
筐体１０内には、記録媒体としての複数枚の磁気ディスク１８、および磁気ディスク１８を支持および回転させる駆動部としてのスピンドルモータ１９が設けられている。スピンドルモータ１９は、底壁１２ａ上に配設されている。各磁気ディスク１８は、例えば、直径８８．９ｍｍ（３．５インチ）に形成され、その上面または下面に磁気記録層を有している。各磁気ディスク１８は、スピンドルモータ１９の図示しないハブに互いに同軸的に嵌合されているとともにクランプばね２０によりクランプされ、ハブに固定されている。これにより、各磁気ディスク１８は、ベース１２の底壁１２ａと平行に位置した状態に支持されている。そして、各磁気ディスク１８は、スピンドルモータ１９により所定の回転数で回転される。  
なお、図１に示すように、本実施形態においては、例えば７枚の磁気ディスク１８が筐体１０内に配置されているが、磁気ディスク１８の枚数はこれに限られない。
【００１３】
筐体１０内には、磁気ディスク１８に対して情報の記録、再生を行なう複数の磁気ヘッド１７、および、これらの磁気ヘッド１７を磁気ディスク１８に対して移動自在に支持したヘッドアクチュエータアッセンブリが設けられている。本実施形態では、ヘッドアクチュエータアッセンブリは、複数のアクチュエータアッセンブリ、例えば、第１アクチュエータアッセンブリ２２Ａおよび第２アクチュエータアッセンブリ２２Ｂを有するデュアルアクチュエータアッセンブリとして構成されている。  
更に、筐体１０内には、第１および第２アクチュエータアッセンブリ２２Ａ、２２Ｂを回動および位置決めするボイスコイルモータ（ＶＣＭ）２４、磁気ヘッド１７が磁気ディスク１８の最外周に移動した際、磁気ヘッド１７を磁気ディスク１８から離間したアンロード位置に保持するランプロード機構２５、および変換コネクタ等の電子部品が実装された基板ユニット（ＦＰＣユニット）２１が設けられている。  
【００１４】
ベース１２の底壁１２ａの外面には、図示しないプリント回路基板がねじ止めされている。プリント回路基板は、スピンドルモータ１９の動作を制御するとともに、基板ユニット２１を介してＶＣＭ２４および磁気ヘッド１７の動作を制御する制御部を構成している。
【００１５】
図２は、デュアルアクチュエータアッセンブリおよびＦＰＣユニットを有するヘッドアクチュエータアッセンブリを示す斜視図、図３は、デュアルアクチュエータアッセンブリの側面図である。図２および図３に示すように、デュアルアクチュエータアッセンブリは、第１アクチュエータアッセンブリ２２Ａおよび第２アクチュエータアッセンブリ２２Ｂを有している。第１および第２アクチュエータアッセンブリ２２Ａ、２２Ｂは、互いに重ねて配置され、また、ベース１２の底壁１２ａに立設された共通の枢軸（支持シャフト）２６の回りで互いに独立して回動可能に設けられている。第１アクチュエータアッセンブリ２２Ａおよび第２アクチュエータアッセンブリ２２Ｂは、ほぼ同一の構造に構成されている。一例では、上側に配置されたアクチュエータアッセンブリを第１アクチュエータアッセンブリ２２Ａ、下側に配置されたアクチュエータアッセンブリを第２アクチュエータアッセンブリ２２Ｂとしている。
【００１６】
第１アクチュエータアッセンブリ２２Ａは、アクチュエータブロック（第１アクチュエータブロック）２９と、このアクチュエータブロック２９から延出する４本のアーム３０と、各アーム３０に取付けられたサスペンションアッセンブリ３２と、サスペンションアッセンブリ３２に支持された磁気ヘッド１７とを備えている。アクチュエータブロック２９は内孔３１を有し、この内孔３１に後述する軸受けユニット（ユニット軸受）５０が収納されている。  
本実施形態において、アクチュエータブロック２９および４本のアーム３０はアルミニウム等により一体に成形され、いわゆるＥブロックを構成している。アーム３０は、例えば、細長い平板状に形成され、アクチュエータブロック２９から支持シャフト２６と直交する方向に延出している。４本のアーム３０は、互いに隙間を置いて、平行に設けられている。
【００１７】
第１アクチュエータアッセンブリ２２Ａは、アクチュエータブロック２９からアーム３０と反対の方向へ延出する支持フレーム３４を有している。ＶＣＭ２４の一部を構成するボイスコイル３６が支持フレーム３４に支持されている。図１および図２に示すように、ボイスコイル３６は、ベース１２に設置された一対のヨーク３８間に位置し、これらのヨーク３８、および何れかのヨーク３８に固定された磁石３９とともにＶＣＭ２４を構成している。
【００１８】
図２および図３に示すように、第１アクチュエータアッセンブリ２２Ａは、７本のサスペンションアッセンブリ３２を備え、これらのサスペンションアッセンブリ３２は各アーム３０の延出端にそれぞれ取付けられている。複数のサスペンションアッセンブリ３２は、磁気ヘッド１７を上向きに支持するアップヘッドサスペンションアッセンブリと、磁気ヘッド１７を下向きに支持するダウンヘッドサスペンションアッセンブリと、を含んでいる。これらのアップヘッドサスペンションアッセンブリおよびダウンヘッドサスペンションアッセンブリは、同一構造のサスペンションアッセンブリ３２を上下向きを変えて配置することにより構成される。本実施形態では、最上部のアーム３０にダウンヘッドサスペンションアッセンブリ３２が取付けられ、他の３本のアーム３０の各々に、アップヘッドサスペンションアッセンブリ３２およびダウンヘッドサスペンションアッセンブリ３２の２本のサスペンションアッセンブリが取り付けられている。
【００１９】
各サスペンションアッセンブリ３２は、ほぼ矩形状のベースプレートと、細長い板ばねからなるロードビームと、細長い帯状のフレクシャ（配線部材）４０と、を有している。フレクシャ４０は、ロードビームおよびベースプレートの表面上に取付けられ、更に、ベースプレートの側縁から外側に延出しアーム３０に沿ってアーム３０の基端部（アクチュエータブロック２９）まで延びている。ロードビーム上に位置するフレクシャ４０の先端端部に、変位自在なジンバル部（弾性支持部）が設けられ、このジンバル部に磁気ヘッド１７が搭載されている。フレクシャ４０の配線は、磁気ヘッド１７に電気的に接続されている。なお、磁気ヘッド１７は、図示しないライト素子およびリード素子を有している。
フレクシャ４０は、延出端に設けられた接続端部４１を有している。接続端部４１には図示しない複数の接続端子が設けられている。接続端部４１は、アクチュエータブロック２９の側面上に設置された後述のＦＰＣに接合されている。
【００２０】
一方、第２アクチュエータアッセンブリ２２Ｂは、第１アクチュエータアッセンブリ２２Ａと同様に構成されている。すなわち、第２アクチュエータアッセンブリ２２Ｂは、軸受ユニット（第２軸受ユニット）５０を内蔵したアクチュエータブロック（第２アクチュエータブロック）２９と、アクチュエータブロック２９から延出する４本のアーム３０と、それぞれアーム３０に取り付けられた７本のサスペンションアッセンブリ３２と、各サスペンションアッセンブリ３２に支持された磁気ヘッド１７と、支持フレーム３４に取り付けられたボイスコイル３６と、を有している。第２アクチュエータアッセンブリ２２Ｂにおいては、最下部のアーム３０にアップヘッドサスペンションアッセンブリ３２が取付けられ、他の３本のアーム３０の各々に、アップヘッドサスペンションアッセンブリ３２およびダウンヘッドサスペンションアッセンブリ３２の２本のサスペンションアッセンブリが取り付けられている。第２アクチュエータアッセンブリ２２Ｂは、軸受ユニット５０を介して支持シャフト２６に回動自在に支持されている。また、第２アクチュエータアッセンブリ２２Ｂのボイスコイル３６は、ベース１２に設置された一対のヨーク３８間に位置し、これらのヨーク３８、および何れかのヨークに固定された磁石３９とともにＶＣＭ２４を構成している。  
なお、第１アクチュエータアッセンブリ２２Ａを駆動するＶＣＭ２４と、第２アクチュエータアッセンブリ２２Ｂを駆動するＶＣＭ２４とは、互いに独立して設けられている。これにより、第１アクチュエータアッセンブリ２２Ａおよび第２アクチュエータアッセンブリ２２Ｂは、それぞれ独立して駆動（回動）可能である。
【００２１】
図２に示すように、ＦＰＣユニット２１は、ほぼ矩形状のベース部４２、ベース部４２の一側縁から延出した２本の細長い帯状の中継部４４、それぞれ中継部４４の先端に連続して設けられた２つの接合部４６と、を一体に有している。ベース部４２、中継部４４、および接合部４６は、フレキシブルプリント回路基板により形成されている。フレキシブルプリント回路基板は、ポリイミド等の絶縁層と、この絶縁層上に形成され、配線、接続パッド等を形成する導電層と、導電層を覆う保護層とを有している。
ベース部４２上に、図示しない変換コネクタ、複数のコンデンサ等の電子部品が実装され、図示しない配線に電気的に接続されている。ベース部４２に、補強板として機能する金属板４５が貼付されている。２本の中継部４４は、ベース部４２の側縁から第１および第２アクチュエータアッセンブリ２２Ａ、２２Ｂに向かって延びている。中継部４４の延出端に設けられた接合部４６は、それぞれ図示しない裏打ち板を介してアクチュエータブロック２９の一側面（設置面）に貼付され、更に、固定ねじにより設置面にねじ止め固定されている。
【００２２】
図２および図３に示すように、各接合部４６に、フレクシャ４０の接続端部４１が接合され、接合部４６の配線に電気的に接続されている。接合部４６上にヘッドＩＣ（ヘッドアンプ）４８が実装され、このヘッドＩＣ４８は配線を介して接続端部４１およびベース部４２に接続されている。更に、接合部４６は、ボイスコイル３６が接続された接続パッド４９を有している。  
第１アクチュエータアッセンブリ２２Ａの７個の磁気ヘッド１７は、それぞれフレクシャ４０の配線、接続端部４１、ＦＰＣユニット２１の接合部４６、中継部４４を通して、ベース部４２に電気的に接続される。同様に、第２アクチュエータアッセンブリ２２Ｂの７個の磁気ヘッド１７は、それぞれフレクシャ４０の配線、接続端部４１、ＦＰＣユニット２１の接合部４６、中継部４４を通して、ベース部４２に電気的に接続される。更に、ベース部６０は、変換コネクタを介して、筐体１０の底面側のプリント回路基板に電気的に接続される。
【００２３】
次に、第１アクチュエータアッセンブリ２２Ａおよび第２アクチュエータアッセンブリ２２Ｂの軸受ユニットの構成について詳細に説明する。図４は、アクチュエータブロックおよび軸受ユニットを破断して示す斜視図、図５は、アクチュエータブロックおよび軸受ユニットの断面図である。
図示のように、各アクチュエータアッセンブリ２２Ａ、２２Ｂのアクチュエータブロック２９は、支持シャフト２６と直交して延在する上端面２９ａおよび下端面２９ｂを有している。内孔３１は、アクチュエータブロック２９を貫通して形成され、上端面２９ａおよび下端面２９ｂに開口している。また、内孔３１は、支持シャフト２６と同軸的に形成されている。
【００２４】
軸受ユニット５０は、ほぼ円筒形状のスリーブ（第１スリーブ）５２と、スリーブ５２内に嵌合された一対のボールベアリング５４ａ、５４ｂと、を有している。スリーブ５２は、アクチュエータブロック２９の高さとほぼ等しい、軸方向長さを有している。スリーブ５２の外径は、内孔３１の径とほぼ等しく形成されている。スリーブ５２の内径は、支持シャフト２６の径よりも大きく形成されている。スリーブ５２は、その内周面の軸方向中間部から軸中心に向って突出した環状の凸部５３を一体に有している。更に、スリーブ５２は、軸方向の一端面、ここでは、上端面から突出した環状の第１リブ（第１段部）５６ａと、軸方向の他端面、ここでは、下端面から突出した環状の第２リブ（第２段部）５６ｂと、を一体に有している。第１リブ５６ａは、スリーブ５２と同軸的に設けられ、また、スリーブ５２の内径とほぼ等しい径を有している。第２リブ５６ｂは、スリーブ５２と同軸的に設けられ、また、第１リブ５６ａの外径よりも僅かに大きな内径を有している。第２リブ５６ｂの外径は、スリーブ５２の外径よりも僅かに小さく形成されている。
【００２５】
一方のボールベアリング５４ａは、アウターレースがスリーブ５２の内周面に嵌合した状態で、スリーブ５２の上端部内に配置されている。他方のボールベアリング５４ｂは、アウターレースがスリーブ５２の内周面に嵌合した状態で、スリーブ５２の下端部内に配置されている。凸部５３は、ボールベアリング５４ａ、５４ｂの間に位置し、スペーサとして機能している。
【００２６】
上記のように構成された軸受ユニット５０のスリーブ５２は、アクチュエータブロック２９の内孔３１内に嵌合され、接着剤等によりアクチュエータブロック２９に固定されている。スリーブ５２は、内孔３１と同軸的に位置し、第１リブ５６ａは、内孔３１の上端開口から上方に突出している。第２リブ５６ｂは、内孔３１の下端開口から下方に突出している。  
第１アクチュエータアッセンブリ２２Ａの軸受ユニット（第１軸受ユニット）５０と第２アクチュエータアッセンブリ２２Ｂの軸受ユニット（第２軸受ユニット）５０とは、同一の構造を有している。
【００２７】
支持シャフト２６は、中空の円筒形状に形成され、また、基端外周に形成された環状のフランジ（台座）２６ｂを一体に有している。支持シャフト２６は、ベース１２の底壁１２ａに立設され、フランジ２６ｂが底壁１２ａのボス部に当接している。支持シャフト２６は、支持シャフト２６の上端開口から挿入された図示しない固定ボルトを、底壁１２ａにねじ込むことにより、底壁１２ａに立設状態で固定されている。
【００２８】
第２アクチュエータアッセンブリ２２Ｂは、軸受ユニット５０を介して、支持シャフト２６の基端側部分に回動自在に支持されている。すなわち、軸受ユニット５０に支持シャフト２６の基端側部分が挿通され、ボールベアリング５４ａ、５４ｂのインナーレースが支持シャフト２６の外周面に嵌合している。下端側のボールベアリング５４ｂは、支持シャフト２６のフランジ２６ｂと僅かな隙間を置いて対向している。これにより、フランジ２６ｂは、ボールベアリング５４ｂからのグリースの飛散を防止するカバーとして機能することができる。
【００２９】
第１アクチュエータアッセンブリ２２Ａは、軸受ユニット５０を介して、支持シャフト２６の先端側部分に回動自在に支持されている。軸受ユニット５０に支持シャフト２６の先端側部分が挿通され、ボールベアリング５４ａ、５４ｂのインナーレースが支持シャフト２６の外周面に嵌合している。支持シャフト２６の軸方向中間部の外周に、環状のスペーサリング６１が装着されている。スペーサリング６１は、第２アクチュエータアッセンブリ２２Ｂの上側のボールベアリング５４ａと、第１アクチュエータアッセンブリ２２Ａの下側のボールベアリング５４ｂとの間に挟まれている。スペーサリング６１により、上下の軸受ユニット５０、すなわち、第１アクチュエータアッセンブリ２２Ａおよび第２アクチュエータアッセンブリ２２Ｂは、所定の間隔を置いた位置に保持されている。
なお、支持シャフト２６の上端部外周に環状のキャップ５８が取り付けられている。キャップ５８は、上側のボールベアリング５４ａと僅かな隙間を置いて対向している。これにより、キャップ５８は、ボールベアリング５４ａからのグリースの飛散を防止するカバーとして機能している。
【００３０】
以下、第１アクチュエータアッセンブリ２２Ａの構成要素に「第１」を付加して説明し、
第２アクチュエータアッセンブリ２２Ｂの構成要素に「第２」を付加して説明する。  
図４および図５に示すように、第１アクチュエータブロック２９の下端面２９ｂと第２アクチュエータブロック２９の上端面２９ａとは、僅かな隙間を置いて互いに平行に対向している。  
第１軸受ユニット５０の第１スリーブ５２と第２軸受ユニット５０の第２スリーブ５２とは互いに同軸的に配置され、かつ、わずかな隙間を置いて、上下に並んで配置されている。第２スリーブ５２の第１リブ５６ａは、第１スリーブ５２の第２リブ５６ｂの内周側に入り込み、スリーブの径方向に重なって、すなわち、径方向に並んで位置している。第１リブ５６ａは、第１スリーブ５２の下端面および第２リブ５６ｂの内周面と僅かな隙間を置いて対向している。  
第１スリーブ５２の第２リブ５６ｂは、第２スリーブ５２の第１リブ５６ａの外周側に位置し、更に、第２アクチュエータブロック２９の内孔３１内に突出している。第２リブ５６ｂは、第２スリーブ５２の上端面および第１リブ５６ａの外周面と僅かな隙間を置いて対向し、更に、第２アクチュエータブロック２９の内孔３１の内周面と僅かな隙間を置いて対向している。
【００３１】
このようにして、上下の軸受ユニット５０間に、第１リブ５６ａおよび第２リブ５６ｂによって、径方向および軸方向に交互に延在する階段状、あるいは、ラビリンス状の隙間Ｇが形成されている。隙間Ｇは、上下のアクチュエータブロック２９間の隙間に繋がっている。図６は、隙間Ｇ部分を拡大して概略的に示す断面図である。図示のように、第１および第２軸受ユニット５０の境界に隣接する２つのボールベアリング５４ｂ、５４ａから漏れ出るグリースは、破線で示すように、上下のアクチュエータブロック２９間の隙間に至る過程で、隙間Ｇを通る必要がある。上記のように、グリースの流路となる隙間Ｇは、複数段に折れ曲がった階段状あるいはラビリンス状に形成されている。すなわち、隙間Ｇは、流路が長く、複雑化している。そのため、グリースは隙間Ｇを流れにくく、アクチュエータブロック２９間の隙間に至るグリースが大幅に低減する。これにより、上下のアクチュエータブロック２９の境界からグリースが飛散することを防止できる。
【００３２】
図１に示すように、上記のように構成されたヘッドアクチュエータアッセンブリを筐体１０に組み込んだ状態において、支持シャフト２６は、底壁１２ａに固定され、スピンドルモータ１９のスピンドルとほぼ平行に立設されている。各磁気ディスク１８は２本のサスペンションアッセンブリ３２間に位置する。ＨＤＤの動作時、第１アクチュエータアッセンブリ２２Ａおよび第２アクチュエータアッセンブリ２２Ｂは、互いに独立して、あるいは、一体的に回動され、サスペンションアッセンブリ３２に取付けられた磁気ヘッド１７は、磁気ディスク１８の上面および下面にそれぞれ対向する。ＦＰＣユニット２１のベース部４２は、ベース１２の底壁１２ａに固定されている。
【００３３】
以上のように構成されたＨＤＤおよびアクチュエータアッセンブリによれば、独立して駆動可能な複数のアクチュエータアッセンブリを重ねて配置した構成であるにも係らず、軸受ユニット５０のベアリングから漏れ出るグリースの飛散を抑制し、磁気ディスクあるいは磁気ヘッドへのグリースの付着を防止することができる。これにより、グリースの付着に起因する問題が生じることなく、信頼性の向上したＨＤＤおよびヘッドアクチュエータアッセンブリが得られる。また、第１アクチュエータアッセンブリおよび第２アクチュエータアッセンブリの軸受ユニットは、同一構造の軸受ユニットを用いることができ、アクチュエータアッセンブリの部品点数を低減し、製造コストの低減を図ることが可能となる。
【００３４】
なお、第１の実施形態では、上下のスリーブ５２の境界部において、下側の第１リブ５６ａが上側の第２リブ５６ｂの内周側に位置する構成としているが、これに限らず、下側の第１リブ５６ａが上側の第２リブ５６ｂの外周側に位置するように第１および第２リブを構成としてもよい。また、アクチュエータブロック２９間の隙間に、上記と同様の第１リブおよび第２リブを設け、階段状あるいはラビリンス状の隙間を構成することも可能である。
【００３５】
次に、他の実施形態に係るＨＤＤおよびヘッドアクチュエータアッセンブリについて説明する。以下に述べる他の実施形態において、上述した第１の実施形態と同一の部分には、同一の参照符号を付してその詳細な説明を省略あるいは簡略化し、第１の実施形態と異なる部分を中心に説明する。  
（第２の実施形態）  
図７は、第２の実施形態に係るＨＤＤにおけるヘッドアクチュエータアッセンブリのアクチュエータブロック部を破断して示す斜視図、図８は、ヘッドアクチュエータアッセンブリのアクチュエータブロック部の断面図である。図９は、軸受ユニット間の隙間部分を模式的に示す断面図である。
【００３６】
第２の実施形態によれば、ヘッドアクチュエータアッセンブリにおいて、上下の２つの軸受ユニット間の境界部の構成が前述した第１の実施形態と相違している。図７および図８に示すように、第２の実施形態では、各軸受ユニット５０のスリーブ５２は、軸方向の一端面から突出した環状の第１リブ（第１段部）５６ａと、軸方向の他端面に突設された環状の第２リブ（第２段部）５６ｂと、を一体に有している。第１リブ５６ａは、スリーブ５２と同軸的に設けられ、また、スリーブ５２の内径とほぼ等しい径を有している。第２リブ５６ｂは、スリーブ５２と同軸的に設けられ、また、第１リブ５６ａの外径よりも僅かに大きな内径を有している。第２リブ５６ｂの外径は、スリーブ５２の外径よりも僅かに小さく形成されている。
【００３７】
第２アクチュエータアッセンブリ２２Ｂの第２スリーブ５２は、上端側に第１リブ５６ａが位置し、下端側に第２リブ５６ｂが位置する向きで第２アクチュエータブロック２９に装着されている。第１アクチュエータアッセンブリ２２Ａの第１スリーブ５２は、第２スリーブ５２と上下逆向きに配置され、下端側に第１リブ５６ａが位置し、上端側に第２リブ５６ｂが位置している。これにより、第１スリーブ５２の第１リブ５６ａは、第２スリーブ５２の第１リブ５６ａと軸方向に僅かな隙間を置いて対向している。
【００３８】
図７、図８、図９に示すように、第１スリーブ５２あるいは第２スリーブ５２のいずれか一方に、環状の隙間形成部材（リング）６２が取り付けられている。本実施形態では、第２スリーブ５２の上端で第１リブ５６ａの外周側にリング６２が固定されている。リング６２は、第１リブ５６ａの外径とほぼ等しい内径、および第２スリーブ５２の外径とほぼ等しい外径に形成されている。リング６２は、第１リブ５６ａの外周に嵌合され、第２スリーブ５２の外周面とほぼ面一に配置されている。リング６２の軸方向の上半分の領域は、下半分の領域よりも幅が狭く形成され、環状の凸部６２ａを構成している。リング６２の凸部６２ａは、第２スリーブ５２の上端面から上方、すなわち、第１スリーブ５２に向かって突出している。凸部６２ａは、第１スリーブ５２の第１リブ５６ａと径方向に重なって、すなわち、径方向に並んで位置している。更に、凸部６２ａは、第１スリーブ５２の下端面、第１リブ５６ａの外周面、および第１アクチュエータブロック２９の内孔３１の内周面に、それぞれ僅かな隙間を置いて対向している。
【００３９】
このようにして、上下の軸受ユニット５０間に、第１リブ５６ａおよびリング６２によって、径方向および軸方向に交互に屈曲して延在する階段状、あるいは、ラビリンス状の隙間Ｇが形成され、この隙間Ｇは、上下のアクチュエータブロック２９間の隙間に繋がっている。図９に示すように、上下の２つの軸受ユニット５０間の境界に隣接する２つのボールベアリング５４ｂ、５４ａから漏れ出るグリースは、破線で示すように、上下のアクチュエータブロック２９間の隙間に至る過程で、隙間Ｇを通る必要がある。上記のように、隙間Ｇは、複数段に折れ曲がった階段状あるいはラビリンス状に形成されている。そのため、グリースは隙間Ｇ（流路）を流れにくく、アクチュエータブロック２９間の隙間に至るグリースが大幅に低減する。これにより、上下のアクチュエータブロック２９の境界からグリースが飛散することを防止することができる。
【００４０】
以上のように、第２の実施形態では、別体のリング６２をスリーブ５２に取付け、リブとして機能させる構成としている。第２の実施形態において、ヘッドアクチュエータアッセンブリの他の構成は、前述した第１の実施形態におけるヘッドアクチュエータアッセンブリと同一である。上記構成の第２の実施形態によれば、グリースの付着に起因する問題が生じることなく、信頼性の向上したＨＤＤおよびヘッドアクチュエータアッセンブリが得られる。また、第１アクチュエータアッセンブリおよび第２アクチュエータアッセンブリの軸受ユニットは、リング部材６２を除いて、同一構造の軸受ユニットを用いることができ、部品点数を低減し、製造コストの低減を図ることが可能となる。  
なお、第２の実施形態では、上下のスリーブ５２の境界部において、下側の第１リブ５６ａの外周にリング６２を設置しているが、これに限らず、上側の第１リブ５６ａの外周にリング６２を設ける構成としてもよい。また、第１リブ５６ａをスリーブ５２の外周側に配置し、リング６２を第１リブ５６ａの内周側に設置する構成を採用することも可能である。
【００４１】
本発明は上述した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、上述した実施形態では、上下に対向する２つの軸受ユニット間の隙間は、一方のスリーブに設けられた第１リブと、他方のスリーブに設けられた第２リブあるいはリングと、を組み合わせることにより、階段状あるいはラビリンス状に形成されている。これに限らず、一方のスリーブに径方向に離間する複数の環状のリブ（段部）を設け、他方のスリーブに設けられた環状のリブを、上記複数のリブ間に隙間を置いて配置することにより、一層複雑な形状の隙間Ｇを規定する構成としてもよい。
また、アクチュエータアッセンブリは、第１および第２の２つに限らず、３つ以上のアクチュエータアッセンブリを共通の枢軸上に回動自在に支持する構成としてもよい。この場合、上下に隣り合うスリーブ間の隙間に、前述した階段状あるいはラビリンス状の隙間を形成する段部構造を設ければよい。  
磁気ディスクは７枚に限らず、６枚以下あるいは８枚以上としてもよく、サスペンションアッセンブリの数および磁気ヘッドの数も磁気ディスクの設置枚数に応じて増減すればよい。
【符号の説明】
【００４２】
１０…筺体、１２…ベース、１２ａ…底壁、１２ｂ…側壁、１４…トップカバー、  
１７…磁気ヘッド、１８…磁気ディスク、１９…スピンドルモータ、  
２１…ＦＰＣユニット、２２Ａ…第１アクチュエータアッセンブリ、  
２２Ｂ…第２アクチュエータアッセンブリ、２６…支持シャフト（枢軸）、  
２９…アクチュエータブロック、２９ａ…上端面、２９ｂ…下端面、３０…アーム、  
３２…サスペンションアッセンブリ、４０…フレクシャ（配線部材）、  
５０…軸受ユニット（ユニット軸受）、５２…スリーブ、  
５４ａ、５４ｂ…ボールベアリング、５６ａ…第１リブ（第１段部）、  
５６ｂ…第２リブ（第２段部）、６２…リング（リング部材）
【図１】
2019164851.tif 000003
【図２】
2019164851.tif 000004
【図３】
2019164851.tif 000005
【図４】
2019164851.tif 000006
【図５】
2019164851.tif 000007
【図６】
2019164851.tif 000008
【図７】
2019164851.tif 000009
【図８】
2019164851.tif 000010
【図９】
2019164851.tif 000011